(57)【要約】【課題】  本発明の目的は、電子機器を組み合わせて、所望の電子機器システムを構成する情報処理装置を提供することである。【解決手段】  電子機器の機器情報を取得する取得手段（Ｓ１２０）と、前記取得した機器情報に基づいて、構成可能な電子機器システムを表示する表示手段（Ｓ１３０）と、前記表示された電子機器システムを選択する選択手段（Ｓ１４０）と、  前記選択された電子機器システムを構成する全ての電子機器と通信する通信手段（Ｓ１５０）とを備えた情報処理装置。【選択図】  図６
2005339414.tif 000002
【特許請求の範囲】
【請求項１】
電子機器の機器情報を取得する取得手段と、
前記取得した機器情報に基づいて、構成可能な電子機器システムを表示する表示手段と、
前記表示された電子機器システムを選択する選択手段と、
前記選択された電子機器システムを構成する全ての電子機器と通信する通信手段と
を備えた情報処理装置。
【請求項２】
前記選択された電子機器システムから他の電子機器システムへ移行する場合、前記通信していた電子機器との接続を切断し、前記他の電子機器システムを構成するための新たな電子機器と通信することを特徴とする請求項１記載の情報処理装置。
【請求項３】
電子機器の機器情報を取得する取得手段と、
構成可能な電子機器システムの優先度を記憶する記憶手段と、
前記機器情報及び電子機器システムの優先度に基づいて、実行すべき電子機器システムを決定する決定手段と、
前記決定された電子機器システムを構成する全ての電子機器と通信する通信手段と
を備えた情報処理装置。
【発明の詳細な説明】
【技術分野】
【０００１】
本発明は、情報処理装置に関し、特に、ネットワークに接続された複数の電子機器をユーザの利用目的に応じて組合せ、所望の電子機器システムを構成する情報処理装置に関する。
【背景技術】
【０００２】
無線通信などのネットワークを利用した情報機器を用いて、ユーザが利用するシーンや環境において必要とする電子機器システムを構成するための周辺機器が異なる場合、使用目的に応じた端末を選択する必要がありシステム全体のコストが高くついていた。
【０００３】
また、使用場所や環境が変わる度に、システムを再構成するための設定作業が必要となり煩雑である。その結果、携帯性が劣っていた。
【０００４】
例えば、従来のネットワーク会議システムでは、会議システムを構成する各種機器の電源オン／オフ状態を会議サーバが監視し、チェアマン端末の使用可能機器表示画面を変更している（例えば特許文献１参照）。
【特許文献１】特開２００１−３３１４２９号公報（第１７頁、図４０）
【発明の開示】
【発明が解決しようとする課題】
【０００５】
しかし、ユーザの利用目的に応じて電子機器を組合せて、所望の電子機器システムを構成することはできなかった。
【０００６】
本発明の目的は、電子機器を組み合わせて、所望の電子機器システムを構成する情報処理装置を提供することである。
【課題を解決するための手段】
【０００７】
第１の発明は、電子機器の機器情報を取得する取得手段と、前記取得した機器情報に基づいて、構成可能な電子機器システムを表示する表示手段と、前記表示された電子機器システムを選択する選択手段と、前記選択された電子機器システムを構成する全ての電子機器と通信する通信手段とを備えた情報処理装置である。
【０００８】
第２の発明は、前記選択された電子機器システムから他の電子機器システムへ移行する場合、前記通信していた電子機器との接続を切断し、前記他の電子機器システムを構成するための新たな電子機器と通信することを特徴とする第１の発明記載の情報処理装置である。
【０００９】
第３の発明は、電子機器の機器情報を取得する取得手段と、構成可能な電子機器システムの優先度を記憶する記憶手段と、前記機器情報及び電子機器システムの優先度に基づいて、実行すべき電子機器システムを決定する決定手段と、前記決定された電子機器システムを構成する全ての電子機器と通信する通信手段とを備えた情報処理装置である。
【発明の効果】
【００１０】
本発明によれば、電子機器を組み合わせて、所望の電子機器システムを構成する情報処理装置を提供することができる。
【発明を実施するための最良の形態】
【００１１】
以下、本発明の実施の形態について図面を参照しながら説明する。
【００１２】
図１は、本発明の実施形態に係る電子機器システムの概略構成図である。本実施形態によれば、コントローラ装置であるＰＤＡ(Personal Digital Assistant)100にネットワーク接続された各種電子機器によって、さまざまな電子機器システムを構成することができる。例えば、ＰＤＡ100とヘッドフォン700からならオーディオプレーヤを構成することができる。また、ＰＤＡ100、ディスプレイ装置200、ＤＶＤ−ＲＯＭドライブ300と、スピーカ400からなるＤＶＤ再生システムを構成することもできる。このＤＶＤ再生システムにキーボード500とマウス600をさらに加えるとＰＣ（パーソナルコンピュータ）を構成することもできる。
【００１３】
図２は、本実施形態に係るコントローラ装置であるＰＤＡ100の概略構成図である。制御部120はＰＤＡ全体の制御を行い、ＲＡＭなどのメモリ140に格納されているアプリケーションソフトを実行する。例えば電子メールソフトを実行する場合、ユーザは通信部170で受信したメールを表示部180で閲覧し、ペン入力部130を用いて返信メールを作成することができる。通信部170としては、ＰＤＡのカードスロットに格納される無線通信カードを利用できる。無線通信方式としてはＢｌｕｅｔｏｏｔｈ（登録商標）などを用いればよい。
【００１４】
また、メモリ140には、機器情報150とシステム構成情報テーブル160も格納されている。機器情報150は、ＰＤＡ100のデバイス属性情報と機器ＩＤからなる。機器ＩＤとはＢｌｕｅｔｏｏｔｈアドレスなどのユニークなＩＤであればよい、また、デバイス属性情報とはその機器にどのような機能があるか（ＰＤＡ機能など）を示すものである。
【００１５】
システム構成情報テーブル160は、ＰＤＡ100がコントローラ装置として構成可能な電子機器システムに関する情報である。すなわち、所望の電子機器システムを構成するための情報テーブルであり、ユーザからコントローラ装置に所望の電子機器システムを構成して欲しい旨の依頼を受けると、どのような電子機器が必要であるかという情報が格納されている。
【００１６】
図３は、本実施形態に係るディスプレイ装置200の概略構成図である。制御部220はディスプレイ装置全体の制御を行い、Ｂｌｕｅｔｏｏｔｈなどの無線通信方式に対応した通信部260が受信した映像データをメモリ240に一時格納し、表示部230に表示させる。また、メモリ240には、ディスプレイ装置に関する機器情報250も格納されている。
【００１７】
図４は、コントローラ装置内のシステム構成情報テーブル160の概略構成図である。コントローラ装置100単体のみの場合、ＰＤＡとして動作する。この場合の構成機器は表示装置、入力装置、記憶装置である。そして、設定値のデフォルト（初期設定；実線表示）は、表示装置については内臓ディスプレイすなわち表示部180が、入力装置についてはペンすなわちペン入力部130が、記憶装置についてはメモリすなわちメモリ140が選択されている。一方、外部ディスプレイとキーボードを探索し、かつ、カスタマイズしたい場合（点線表示）は、表示装置については外部ディスプレイに、入力装置についてはキーボードに設定変更することが可能であることを示している。
【００１８】
また、コントローラ装置100が通信部170を用いて周辺デバイスを探索し、ディスプレイ装置200、ＤＶＤ−ＲＯＭドライブ300、及びスピーカ400を検出した場合、表示装置としては外部ディスプレイであるディスプレイ装置200にカスタマイズし、音声再生装置としては外部スピーカであるスピーカ400にカスタマイズし、ＤＶＤプレーヤとしては初期設定通りＤＶＤドライブ300を使用し、入力装置としては初期設定通りコントローラ装置（ＰＤＡ）100の内蔵ボタンを使用することによって、ＤＶＤ再生システムを構成することができる。
【００１９】
すなわち、コントローラ装置100が周辺デバイスを探索し、検出した周辺デバイスの機器情報を取得し、システム構成情報テーブル160の設定値として、取得した周辺デバイスの機器ＩＤを登録することによって（同図の登録デバイスIDに登録）、上述したシステムの構成が可能となる。
【００２０】
他にも、ＰＣとしてシステムを構成するためには上述したＤＶＤ再生システムの他に、入力装置としてのキーボード、マウスなどを検出する必要がある。また、オーディオプレーヤとしてシステムを構成するためには、コントローラ装置100以外にヘッドフォン等のスピーカを検出する必要がある。
【００２１】
図５は、コントローラ装置内の機器情報150の概略構成図である。この機器情報には、機器ＩＤの他に、デバイス属性情報があり、その機器が備えている機能（例えば表示装置、入力装置、記憶装置、音声再生装置)が、他機器が使用できるか否かを示している。ここでは、他機器が使用できる場合は実線表示で、使用できない場合は点線表示で示している。
【００２２】
図６は、本実施形態に係るコントロール装置のフローチャートである。コントローラ装置は起動時、またはユーザが所望するタイミングで通信可能範囲内に周辺デバイスが無いかを探索し、周辺デバイスの機器情報を取得するために問合せ要求を送信する（Ｓ１１０）。接続可能な周辺デバイスから機器のＩＤ及び機器情報を受信する（Ｓ１２０）。この結果、システム構成情報テーブル160が更新され、現在の通信環境において構成可能な電子機器システムを認識することができ、その結果をコントロール装置の表示部180に提示する（Ｓ１３０）。
【００２３】
図７は表示部180の表示例を示す。ここでは、ＰＤＡが選択されており、構成可能な電子機器システム（ＰＣ，ＤＶＤ，Ａｕｄｉｏ）のうちオーディオプレーヤが選択可能であることを示している。
【００２４】
そして、ユーザが所望の電子機器システムモードを選択すると（Ｓ１４０）、コントロール装置100はシステム構成情報テーブル160を参照して各デバイスと接続し（Ｓ１５０）、無線通信情報端末として動作開始する（Ｓ１６０）。
【００２５】
本実施形態によれば、ユーザは周辺の通信環境及び用途に応じて所望する情報端末を容易に構成することが可能になる。
【００２６】
（変形例１）
一方、ある電子機器システムで動作している際に、別の電子機器システムへの移行をユーザが支持することによって、不要となった通信装置を自動的に切断できる。図８はこのシステム移行のフローチャートである。ここではＤＶＤ再生システムからオーディオプレーヤへ移行する場合を例に説明する。
【００２７】
まず、ユーザが表示部180に表示されたオーディオプレーヤを選択すると（Ｓ２１０）、制御部120はシステムモードテーブルを参照し（Ｓ２２０）、ＤＶＤ再生システムでは使用していたがオーディオプレーヤでは不要な装置との接続を切断する（Ｓ２３０）。その後、オーディオプレーヤを構成するために必要な新たな装置と接続し（Ｓ２４０）、無線通信情報端末として動作を開始する（Ｓ２５０）。
【００２８】
これによりユーザは所望する電子機器システムを選択するだけで、必要最小限の機器でシステムを構成し、システム全体としての消費電力も抑えることが可能となる。
【００２９】
（変形例２）
ところで、いくつかの通信環境において同じデバイス属性情報を有した電子機器がある場合、接続時の優先順位が予め決まっていると便利である。
【００３０】
図９は、本変形例に係るシステム構成情報テーブルの概略構成図である。ここでは、システムモードの優先度として、第１にＰＣ、第２にＰＤＡと設定されている。したがって、コントローラ装置100はまずパーソナルコンピュータとして起動しようとする。この時、システムモード：ＰＣを構成する構成機器を満たすことができるだけの通信可能な無線通信装置を探索して見つけることができたとき、コントローラ装置100はＰＣとして起動することが可能である。
【００３１】
例えば、登録されているキーボード、マウス、外部ディスプレイが自宅にある場合、ユーザは自宅でコントローラ装置を起動すればＰＣとして使用することができ、外出時などコントローラ装置しか存在しない場合は、ＰＤＡとして使用することが可能である。
【００３２】
したがってこのときユーザは、電源を入れるだけで、利用場所に応じた必要な機器構成を自動的に行うことが可能となる。
【００３３】
上述した実施の形態は、本発明の好適な具体例であるから、技術的に好ましい種々の限定が付されているが、本発明の趣旨を逸脱しない範囲であれば、適宜組合せ及び変更することができることはいうまでもない。例えば、コントローラ装置に接続される周辺デバイスは無線通信部の代わりに、有線通信部を備えていてもよい。
【図面の簡単な説明】
【００３４】
【図１】本実施形態に係る電子機器システムの概略構成図。
【図２】本実施形態に係るコントローラ装置であるＰＤＡの概略構成図。
【図３】本実施形態に係るディスプレイ装置の概略構成図。
【図４】コントローラ装置内のシステム構成情報テーブルの概略構成図。
【図５】コントローラ装置内の機器情報の概略構成図。
【図６】本実施形態に係るコントロール装置のフローチャート。
【図７】コントロール装置の表示部の表示例を示す図。
【図８】変形例１に係る電子機器システムの移行のフローチャート。
【図９】変形例２に係るシステム構成情報テーブルの概略構成図。
【符号の説明】
【００３５】
１００  ＰＤＡ（コントローラ装置）
１２０、２２０  制御部
１３０  ペン入力部
１４０、２４０  メモリ
１５０、２５０  機器情報
１６０  システム構成情報テーブル
１７０、２６０  通信部
１８０、２３０  表示部
２００  ディスプレイ装置
３００  ＤＶＤ−ＲＯＭドライブ
４００  スピーカ
５００  キーボード
６００  マウス
７００  ヘッドフォン
【図１】
2005339414.tif 000003
【図２】
2005339414.tif 000004
【図３】
2005339414.tif 000005
【図４】
2005339414.tif 000006
【図５】
2005339414.tif 000007
【図６】
2005339414.tif 000008
【図７】
2005339414.tif 000009
【図８】
2005339414.tif 000010
【図９】
2005339414.tif 000011